(57)【要約】【課題】液体容器が装着部から飛び出すことを簡易且つ低コストで防止できる手段を提供する。【解決手段】カートリッジ装着部１１０は、挿抜方向５０に沿って開口１１２から奥部へ延びる溝１１５と、底面１１３から突出されたストッパ１２６，１２７と、ロック機構１４４と、を具備する。インクカートリッジ３０は、インク室３６と、溝１１５に挿入されて溝１１５内を移動可能な被ガイド部４４と、下壁４１から突出された凸部５４，５５，５６と、を具備する。【選択図】図９
2011152645.tif 000002
【特許請求の範囲】
【請求項１】
開口を通じて液体容器が装着部に装着可能であり、当該液体容器が当該装着部に装着された状態において、当該液体容器を開口へ向かって付勢部材が付勢する液体供給装置であって、
上記装着部は、上記液体容器が上記装着部に装着されたときに上記液体容器の下方に位置しており、上記液体容器が上記装着部に対して挿抜される挿抜方向に沿って開口から奥部へ延びる溝と、当該溝又はその近傍において第１面から突出されたストッパと、装着状態の上記液体容器を上記付勢部材の付勢に抗して装着された状態に保持し、かつ当該保持を解除可能な保持部材と、を具備し、
上記液体容器は、液体を貯留し、かつ装着された状態において当該液体を流出可能な貯留室と、上記装着部に対して挿抜されるときに上記溝に挿入されて上記溝内を移動可能な被ガイド部と、当該被ガイド部又はその近傍において上記第１面と対向する第２面から突出された凸部と、を具備し、
上記ストッパ及び上記凸部は、上記装着部に装着された上記液体容器が上記付勢部材に付勢されて上記開口へ向かって移動するときに当接するように配置されており、
上記ストッパ及び上記凸部の少なくとも一方は、挿抜方向に沿って複数が配置されている液体供給装置。
【請求項２】
上記ストッパ及び上記凸部の少なくとも一方は、上記液体容器が上記装着部へ挿入される過程において、上記ストッパ及び上記凸部の他方と当接して上記液体容器を重力方向上向きへ案内する第１ガイド面を有しており、また、上記ストッパ及び上記凸部の少なくとも一方は、上記液体容器が上記装着部から脱抜される過程において、上記ストッパ及び上記凸部の他方と当接して上記液体容器を重力方向上向きへ案内する第２ガイド面を有するものである請求項１に記載の液体供給装置。
【請求項３】
上記第１ガイド面及び上記第２ガイド面は、それぞれ重力方向に対して傾斜された傾斜面であり、
上記第１ガイド面が重力方向に対して鋭角をなす第１角度は、上記第２ガイド面が重力方向に対して鋭角をなす第２角度より大きい請求項２に記載の液体供給装置。
【請求項４】
上記ストッパは、上記溝に対して上記挿抜方向と直交する水平方向の両側に一対が設けられており、
上記凸部は、上記被ガイド部に対して上記挿抜方向と直交する水平方向の両側に一対が設けられたものである請求項１から３のいずれかに記載の液体供給装置。
【請求項５】
上記第１面は、重力方向上向きの面であり、
上記ストッパは、上記第１面から重力方向上向きへ突出されており、
上記第２面は、重力方向下向きの面であり、
上記凸部は、上記第２面から重力方向下向きへ突出されたものである請求項１から４のいずれかに記載の液体供給装置。
【請求項６】
上記第１面及び上記第２面は、それぞれが重力方向及び上記挿抜方向へ延びる面であり、
上記ストッパ及び上記凸部は、それぞれが上記第１面又は上記第２面から上記挿抜方向と直交する水平方向へ突出されたものである請求項１から４のいずれかに記載の液体供給装置。
【請求項７】
上記液体容器は、底面を有する直方体形状の本体を有し、当該底面から上記被ガイド部が延出されたものであり、
上記凸部は、挿抜方向と直交する水平方向の先端が、上記本体において当該水平方向の両端の面より当該水平方向において内側に位置するように配置されたものである請求項６に記載の液体供給装置。
【請求項８】
上記保持部材は、上記液体容器の重力方向上側において上記液体容器と係合するものである請求項１から７のいずれかに記載の液体供給装置。
【請求項９】
請求項１から８のいずれかに記載の液体供給装置と、
上記液体供給装置から供給された液体を選択的に吐出して被記録媒体に画像記録を行う記録部と、を具備する画像記録装置。
【発明の詳細な説明】
【技術分野】
【０００１】
本発明は、開口を通じて液体容器が装着部に装着可能であり、装着された状態において当該液体容器を開口へ向かって付勢部材が付勢する液体供給装置に関する。
【背景技術】
【０００２】
従来より、インクを用いて記録用紙に画像を記録する画像記録装置が知られている。この画像記録装置は、インクジェット方式の記録ヘッドを備え、記録ヘッドのノズルからインク滴を記録用紙へ向けて選択的に噴出する。このインク滴が記録用紙に着弾することによって、記録用紙に所望の画像が記録される。この画像記録装置には、記録ヘッドへ供給するインクを貯蔵する液体容器が設けられる。この液体容器として、カートリッジ形式が採用されたものが公知である。カートリッジ形式の液体容器は、画像記録装置に設けられた装着部に対して着脱可能である。このようなカートリッジ形式の液体容器はインクカートリッジとも称される。
【０００３】
インクカートリッジ内のインクが無くなると、そのインクカートリッジが画像記録装置の装着部から取り外されて、インクを貯蔵する新たなインクカートリッジが装着部に装着される。装着部において、インクカートリッジの位置決めを行ったり、インクカートリッジの装着状態を保持したりするためのロック構造が公知である。また、ロック構造によりインクカートリッジがロックされている状態において、インクカートリッジが装着部から取り外される向きにインクカートリッジを付勢する付勢部材が公知である。装着部からインクカートリッジが取り外されるときに、ロック構造によるロックが解除され、インクカートリッジは付勢部材から受ける力によって開口へ向かって移動する。これにより、ユーザが装着部からインクカートリッジを取り出すことが容易となる。
【０００４】
また、インクカートリッジが勢いよく移動すると、インクカートリッジが装着部から飛び出してしまうことがあり得る。インクカートリッジが装着部から飛び出すと、インクカートリッジが転倒したりして、その際の衝撃でインクカートリッジ内のインクが外部に飛び散るおそれがある。また、インクカートリッジが床などに落下して、インクカートリッジが破損するおそれがある。これらを防止するために、インクカートリッジの飛び出しを防止する構成が公知である（特許文献１）。
【先行技術文献】
【特許文献】
【０００５】
【特許文献１】特開２００５−２８８８６６号公報
【発明の概要】
【発明が解決しようとする課題】
【０００６】
特許文献１に記載された構成においては、カートリッジ装着部（１０１）に弾性変形可能なフック爪（１３０）が設けられており、このフック爪（１３０）が、インクカートリッジ（１）が取り出されるときの所定のタイミングにおいて、インクカートリッジ（１）の係止用凹部（３２）の縁部（３１）に係止する。この係止によって、インクカートリッジ（１）の飛び出しが防止される。
【０００７】
しかし、インクカートリッジ（１）の交換が繰り返され、フック爪（１３０）が何度も繰り返して弾性変形されると、フック爪（１３０）が疲労して、弾性復帰しなくなったり、変形が小さくなったりするおそれがあり、また、フック爪（１３０）が疲労により破断するおそれもある。そうすると、インクカートリッジ（１）の飛び出しを防止することができなくなり、機能を回復させるためには、フック爪（１３０）を有するインクカートリッジ装着部（１０１）の交換が必要となる。
【０００８】
また、画像記録装置にはコストダウンの要望が強く、インクカートリッジの飛び出しを防止する構造は、簡易且つ低コストであることが望ましい。
【０００９】
本発明は、前述された事情に鑑みてなされたものであり、その目的は、液体容器が装着部から飛び出すことを簡易且つ低コストで防止できる手段を提供することにある。
【課題を解決するための手段】
【００１０】
(1)  本発明は、開口を通じて液体容器が装着部に装着可能であり、当該液体容器が当該装着部に装着された状態において、当該液体容器を開口へ向かって付勢部材が付勢する液体供給装置である。上記装着部は、上記液体容器が上記装着部に装着されたときに上記液体容器の下方に位置しており、上記液体容器が上記装着部に対して挿抜される挿抜方向に沿って開口から奥部へ延びる溝と、当該溝又はその近傍において第１面から突出されたストッパと、装着状態の上記液体容器を上記付勢部材の付勢に抗して装着された状態に保持し、かつ当該保持を解除可能な保持部材と、を具備する。上記液体容器は、液体を貯留し、かつ装着された状態において当該液体を流出可能な貯留室と、上記装着部に対して挿抜されるときに上記溝に挿入されて上記溝内を移動可能な被ガイド部と、当該被ガイド部又はその近傍において上記第１面と対向する第２面から突出された凸部と、を具備する。上記ストッパ及び上記凸部は、上記装着部に装着された上記液体容器が上記付勢部材に付勢されて上記開口へ向かって移動するときに当接するように配置されている。上記ストッパ及び上記凸部の少なくとも一方は、挿抜方向に沿って複数が配置されている。
【００１１】
液体容器は開口を通じて装着部へ装着される。装着された状態においては、液体容器は付勢部材により付勢されるが、この付勢に抗して保持部材が液体容器を装着された状態に保持する。また、液体容器の被ガイド部は装着部の溝に挿入されている。
【００１２】
保持部材による保持が解除されると、液体容器は付勢部材から受ける力によって開口に向かって移動する。液体容器が開口に向かって移動するとき、被ガイド部が装着部の溝に沿って移動しつつ、凸部がストッパに当接する。この当接によって、液体容器が重力方向の上向きへ移動される。凸部がストッパを乗り越えることによって、液体容器が開口へ移動する速度が減衰され、これが繰り返されることによって液体容器が停止される。
【００１３】
なお、液体容器の停止位置は、凸部とストッパとが当接する位置に限定されない。例えば、凸部がストッパを乗り越える毎に液体容器の移動速度が減衰され、凸部がストッパを完全に乗り越えてから液体容器が停止してもよい。
【００１４】
(2)  上記ストッパ及び上記凸部の少なくとも一方は、上記液体容器が上記装着部へ挿入される過程において、上記ストッパ及び上記凸部の他方と当接して上記液体容器を重力方向上向きへ案内する第１ガイド面を有しており、また、上記ストッパ及び上記凸部の少なくとも一方は、上記液体容器が上記装着部から脱抜される過程において、上記ストッパ及び上記凸部の他方と当接して上記液体容器を重力方向上向きへ案内する第２ガイド面を有するものであってもよい。
【００１５】
液体容器が装着部へ挿入されるときに、ストッパに凸部が当接すると、第１ガイド面によって、液体容器が重力方向上向きへ案内される。また、液体容器が装着部から脱抜されるときに、ストッパに凸部が当接すると、第２ガイド面によって、液体容器が重力方向上向きへ案内される。なお、ガイド面は、必ずしも平面である必要はなく、曲面や球面を含んで構成されていてもよい。
【００１６】
(3)  上記第１ガイド面及び上記第２ガイド面は、それぞれ重力方向に対して傾斜された傾斜面であり、上記第１ガイド面が重力方向に対して鋭角をなす第１角度は、上記第２ガイド面が重力方向に対して鋭角をなす第２角度より大きくてもよい。
【００１７】
つまり、第１ガイド面が緩斜面であり、第２ガイド面が急斜面である。液体容器が装着部へ挿入されるときには、第１ガイド面によって液体容器が重力方向上向きへ案内されるので、液体容器を挿入するユーザは、液体容器が重力方向上向きへ押し上げられる際の抵抗を比較的緩やかに感じ、挿入操作に違和感が少ない。液体容器が装着部から脱抜されるときには、第２ガイド面によって液体容器が重力方向上向きへ案内されるので、液体容器が移動する力が比較的大きく減衰される。
【００１８】
(4)  上記ストッパは、上記溝に対して上記挿抜方向と直交する水平方向の両側に一対が設けられており、上記凸部は、上記被ガイド部に対して上記挿抜方向と直交する水平方向の両側に一対が設けられたものであってもよい。
【００１９】
これにより、液体容器の両側において、ほぼ同時に凸部とストッパとがそれぞれ当接するので、液体容器が移動する力が一層大きく減衰される。また、凸部とストッパとが当接した位置に液体容器が停止しても、液体容器の姿勢が傾かないので脱抜されやすい。
【００２０】
(5)  上記第１面は、重力方向上向きの面であり、上記ストッパは、上記第１面から重力方向上向きへ突出されており、上記第２面は、重力方向下向きの面であり、上記凸部は、上記第２面から重力方向下向きへ突出された態様が挙げられる。
【００２１】
(6)  上記第１面及び上記第２面は、それぞれが重力方向及び上記挿抜方向へ延びる面であり、上記ストッパ及び上記凸部は、それぞれが上記第１面又は上記第２面から上記挿抜方向と直交する水平方向へ突出された態様が挙げられる。
【００２２】
(7)  上記液体容器は、底面を有する直方体形状の本体を有し、当該底面から上記被ガイド部が延出されたものであり、上記凸部は、挿抜方向と直交する水平方向の先端が、上記本体において当該水平方向の両端の面より当該水平方向において内側に位置するように配置されたものであってもよい。
【００２３】
本体の両端の面より凸部が水平方向の外側へ突出しないので、液体容器が落下したときや減圧包装されたときにおいて、凸部が破損や変形されるおそれが軽減される。
【００２４】
(8)  上記保持部材は、上記液体容器の重力方向上側において上記液体容器と係合するものであってもよい。
【００２５】
下方に配置された凸部と反対側の上方において保持部材が液体容器と係合されるので、保持部材との係合のために必要な形状及び変形部のレイアウトの自由度が高い。
【００２６】
(9)  本発明は、上記液体供給装置と、上記液体供給装置から供給された液体を選択的に吐出して被記録媒体に画像記録を行う記録部と、を具備する画像記録装置として捉えられてもよい。
【発明の効果】
【００２７】
本発明によれば、液体容器が付勢部材からの力を受けて移動するときに、装着部の溝に沿って移動する液体容器の凸部とストッパとが繰り返し当接するので、液体容器は、移動速度が減速されるか停止される。これにより、簡易且つ低コストな構造によって、液体容器が装着部から飛び出すことが防止される。
【図面の簡単な説明】
【００２８】
【図１】図１は、本発明の実施形態に係るインク供給装置１００を備えたプリンタ１０の内部構造を模式的に示す模式断面図である。
【図２】図２は、インクカートリッジ３０の外観構成を示す斜視図である。
【図３】図３は、凸部５４，５５，５６付近のインクカートリッジ３０側面の拡大図である。
【図４】図４は、インクカートリッジ３０の内部構成を示す断面図である。
【図５】図５は、カートリッジ装着部１１０の内部構成を示す断面図である。
【図６】図６は、インクカートリッジ３０がカートリッジ装着部１１０に装着された状態を示す断面図である。
【図７】図７は、ストッパ１２６，１２７を示すカートリッジ装着部１１０正面の拡大図である。
【図８】図８は、インクカートリッジ３０がカートリッジ装着部１１０へ挿入される過程におけるストッパ１２６及び凸部５４，５５，５６付近のインクカートリッジ３０及びカートリッジ装着部１１０を示す拡大図である。
【図９】図９は、インクカートリッジ３０がカートリッジ装着部１１０から脱抜される過程におけるストッパ１２６及び凸部５４，５５，５６付近のインクカートリッジ３０及びカートリッジ装着部１１０を示す拡大図である。
【図１０】図１０は、変形例における凸部６４，６５，６６付近のインクカートリッジ側面の拡大図である。
【図１１】図１１は、変形例におけるストッパ１３１，１３２を示すカートリッジ装着部１１０正面の拡大図である。
【図１２】図１２は、変形例において、凸部６４とストッパ１３１とが当接する状態を示す、凸部６４とストッパ１３１付近のインクカートリッジ３０及びカートリッジ装着部１１０の拡大図である。
【発明を実施するための形態】
【００２９】
以下、適宜図面を参照して本発明の実施形態について説明する。なお、以下に説明される実施形態は本発明が具体化された一例にすぎず、本発明の要旨を変更しない範囲で実施形態を適宜変更できることは言うまでもない。
【００３０】
図１は、本発明の実施形態に係るインク供給装置１００を備えたプリンタ１０の内部構造を模式的に示す模式断面図である。
【００３１】
［プリンタ１０の概要］
プリンタ１０は、インクジェット記録方式に基づいて、記録用紙に対してインク滴を選択的に吐出することにより画像を記録するものである。図１に示されるように、プリンタ１０は、インク供給装置１００を備えている。インク供給装置１００には、カートリッジ装着部１１０が設けられている。カートリッジ装着部１１０には、インクカートリッジ３０が装着され得る。カートリッジ装着部１１０には、その一面が外部に開放された開口１１２が設けられている。インクカートリッジ３０は、開口１１２を介してカートリッジ装着部１１０に挿入されることにより、カートリッジ装着部１１０に装着され、或いはカートリッジ装着部１１０から脱抜されることにより、カートリッジ装着部１１０から取り外される。プリンタ１０が、本発明に係る画像記録装置に相当する。インク供給装置１００が、本発明に係る液体供給装置に相当する。
【００３２】
インクカートリッジ３０には、プリンタ１０で使用可能なインクが貯留されている。カートリッジ装着部１１０に装着された状態において、インクカートリッジ３０と記録ヘッド２１とがインクチューブ２０で接続される。記録ヘッド２１にはサブタンク２８が設けられている。サブタンク２８は、インクチューブ２０を通じて供給されるインクを一時的に貯留する。記録ヘッド２１は、インクジェット記録方式によって、サブタンク２８から供給されたインクをノズル２９から選択的に吐出する。記録ヘッド２１が、本発明における記録部に相当する。
【００３３】
給紙トレイ１５から給紙ローラ２３によって搬送路２４へ送給された記録用紙は、搬送ローラ対２５によってプラテン２６上へ搬送される。記録ヘッド２１は、プラテン２６上を通過する記録用紙に対してインクを選択的に吐出する。これにより、画像が記録用紙に記録される。プラテン２６を通過した記録用紙は、排出ローラ対２２によって、搬送路２４の最下流側に設けられた排紙トレイ１６に排出される。
【００３４】
［インクカートリッジ３０］
図２から図４に示されるように、インクカートリッジ３０はインクが貯留される容器である。インクカートリッジ３０の内部に形成されている空間がインク室３６である。インク室３６は、インクカートリッジ３０の外観を形成している本体３１により形成される空間であってもよいし、本体３１とは別の部材によって形成される空間であってもよい。インクカートリッジ３０が、本発明における液体容器に相当する。インク室３６が、本発明における貯留室に相当する。
【００３５】
インクカートリッジ３０は、図２に示された起立状態、つまり、同図の下側の面を底面とし、同図の上側の面を上面として、カートリッジ装着部１１０に対して矢印５０で示される方向（以下「挿抜方向５０」と称する。）に沿って挿抜される。すなわち、インクカートリッジ３０は、挿抜方向５０に沿ってカートリッジ装着部１１０に挿入され、また、挿抜方向５０に沿ってカートリッジ装着部１１０から脱抜される。インクカートリッジ３０は、起立状態のままカートリッジ装着部１１０に挿抜される。
【００３６】
インクカートリッジ３０は、略直方体形状の本体３１を有する。本体３１は、幅方向５１に細く、高さ方向５２と奥行き方向５３が幅方向５１よりも大きい扁平形状である。インクカートリッジ３０がカートリッジ装着部１１０へ挿入されるときに前方側となる本体３１の壁が前壁４０であり、後方側となる本体３１の壁が後壁４２である。前壁４０と後壁４２とは、挿抜方向５０において対向している。なお、挿抜方向５０は奥行き方向５３と平行である。
【００３７】
本体３１の前壁４０における高さ方向５２の中央付近には、残量検知部３３が設けられている。残量検知部３３は、インク室３６に通ずるように、一方が開口である箱形である。また、残量検知部３３は、光センサ１１４（図５参照）から出射された赤外光を透過させる透光性の樹脂からなる一対の壁を含む。インクカートリッジ３０がカートリッジ装着部１１０に装着されると、カートリッジ装着部１１０に設けられた光センサ１１４に対して、残量検知部３３が赤外光を透過させる状態と、残量検知部３３が赤外光を遮光又は減衰させる状態とがある。この残量検知部３３の状態に応じて、インク室３６内のインク残量が所定量未満になったことが判定される。残量検知部３３には、検出子４５が設けられている。この検出子４５がインク残量に応じて回転することによって、検出子４５が光センサ１１４の赤外光を遮光又は減衰させる姿勢と透過させる姿勢とに姿勢変化する。なお、インク残量の判定手法としては、公知の手段が採用されればよい。また、光センサ１１４が赤外光を出射する壁面は垂直であっても傾斜していてもよい。
【００３８】
本体３１の前壁４０における残量検知部３３の上側に、大気連通口３２が設けられている。大気連通口３２は、前壁４０を奥行き方向５３へ貫通する貫通孔である。大気連通口３２を介してインク室３６の空気層と大気とが連通され得る。各図には現れていないが、大気連通口３２は、バルブなどによって開閉可能に構成されている。大気連通口３２が開かれることによって、インク室３６の気圧が大気圧となる。この大気連通口３２は、必ずしも前壁４０に設けられる必要はなく、インク室３６の内部と外部とを連通させるものであれば配置は限定されない。また、インク室３６内が負圧に維持された状態でインクカートリッジ３０が使用される場合は、大気連通口３２は必ずしも設けられなくてもよい。
【００３９】
本体３１の前壁４０における残量検知部３３の下側に、インク供給部３７が設けられている。インク供給部３７は、円筒形状の外形をなしており、前壁４０から挿抜方向５０に沿って外側へ突出している。インク供給部３７の中心部に、挿抜方向５０に延びるインク流路３８が形成されている。インク流路３８を通ってインク室３６からカートリッジ装着部１１０に設けられたインクニードル１２２へインクが流出される。
【００４０】
本体３１の上壁３９における奥行き方向５３の中央付近には、係合部４３が形成されている。係合部４３は、インクカートリッジ３０の幅方向５１及び高さ方向５２に拡がる平面を有する突起である。係合部４３には、インクカートリッジ３０がカートリッジ装着部１１０に装着された状態で、後述されるロックレバー１４５が係合する。この係合部４３は、インクカートリッジ３０を外側に押し出させる付勢力を受けるものである。
【００４１】
本体３１には、突起４６が設けられている。突起４６は、本体３１の前壁４０の下端に設けられている。したがって、突起４６は、インク供給部３７の下方に配置されている。突起４６の幅は、前壁４０の幅と同じである。突起４６は、前壁４０から挿抜方向５０に沿って後壁４２とは反対側へ延出されている。突起４６の先端は、インク供給部３７の先端よりインク室３６から離れた位置まで延出されている。
【００４２】
本体３１の下壁４１には、奥行き方向５３に渡って延びる被ガイド部４４が設けられている。被ガイド部４４は、下壁４１から下方へ突出された突片によって構成されており、高さ方向５２及び奥行き方向５３に拡がる一対の面６１，６２を幅方向５１に対向させて形成する。面６１，６２は、幅方向５１において、本体３１の右側面４７及び左側面４８より内側に配置されている。被ガイド部４４は、インクカートリッジ３０がカートリッジ装着部１１０へ挿抜される際に、後述される溝１１５に挿入されて移動されるものであり、面６１，６２は、その溝１１５の側面１１７，１１８と対向される。被ガイド部４４の左右両側において挿抜方向５０に沿って延びる下壁４１が、本発明における第２面及び底面に相当する。下壁４１は、インクカートリッジ３０がカートリッジ装着部１１０へ挿抜される姿勢において、重力方向下向きとなる。右側面４７及び左側面４８が、本発明における本体の水平方向の両端の面に相当する。
【００４３】
図３に示されるように、被ガイド部４４に対して右側面４７側となる下壁４１には、下壁４１から重力方向下向きへ突出された３つの凸部５４，５５，５６が設けられている。３つの凸部５４，５５，５６は、配置が異なる他は同じ形状であり、挿抜方向５０に沿って所定の間隔で配置されている。各凸部５４，５５，５６は、カートリッジ装着部１１０に装着されたインクカートリッジ３０が脱抜されるときに、後述されるストッパ１２６と当接し得る。
【００４４】
なお、各図には現れていないが、被ガイド部４４に対して左側面４８側となる下壁４１にも、前述された凸部５４，５５，５６と同様の３つの凸部が設けられている。この３つの凸部は、被ガイド部４４に対して挿抜方向５０と直交する水平方向（幅方向５１）の両側において各凸部５４，５５，５６と対をなしている。この３つの凸部は、カートリッジ装着部１１０に装着されたインクカートリッジ３０が脱抜されるときに、後述されるストッパ１２７と当接し得る。
【００４５】
各凸部５４，５５，５６は、配置が異なる他は同じ形状なので、凸部５４を例に詳細な形状が説明される。凸部５４は、前壁４０側に位置しており、斜め下方を向く第１ガイド面５７と、後壁４２側に位置しており、斜め下方を向く第２ガイド面５８とが挿抜方向５０に連続して形成されており、側面視において逆三角形状をなしている。したがって、第１ガイド面５７は、インクカートリッジ３０がカートリッジ装着部１１０へ挿入される過程において、後述されるストッパ１２６と当接してインクカートリッジ３０を重力方向上向きへ案内する。第２ガイド面５８は、インクカートリッジ３０がカートリッジ装着部１１０から脱抜される過程において、後述されるストッパ１２６と当接してインクカートリッジ３０を重力方向上向きへ案内する。
【００４６】
第１ガイド面５７及び第２ガイド面５８は、いずれも重力方向に対して傾斜する平面であるが、重力方向に対して傾斜する角度が異なる。第１ガイド面５７が重力方向に対して鋭角をなす第１角度Ｒ１は、第２ガイド面５８が重力方向に対して鋭角をなす第２角度Ｒ２より大きい。つまり、第１ガイド面５７は緩斜面であり、第２ガイド面５８は急斜面である。
【００４７】
［カートリッジ装着部１１０］
図１及び図５に示されるように、カートリッジ装着部１１０は、プリンタ１０の正面側に開口１１２を有する。開口１１２を通じてカートリッジ装着部１１０へインクカートリッジ３０が挿入されることにより、インクカートリッジ３０がカートリッジ装着部１１０へ装着され、開口１１２を通じてカートリッジ装着部１１０からインクカートリッジ３０が脱抜されることにより、インクカートリッジ３０がカートリッジ装着部１１０から取り外される。インクカートリッジ３０は、カートリッジ装着部１１０の内部空間の底部を画定している底面１１３に設けられた溝１１５に被ガイド部４４が挿入されることによって挿抜方向５０へ案内される。
【００４８】
カートリッジ装着部１１０には、光センサ１１４、ロック機構１４４、スライド部材１３５、コイルバネ１３９、連結部１２１及びストッパ１２６，１２７などが設けられている。
【００４９】
図５に示されるように、カートリッジ装着部１１０の内部空間における、開口１１２と挿抜方向５０において対向する奥部には、光センサ１１４が設けられている。光センサ１１４は、残量検知部３３において検出子４５を検知するものである。光センサ１１４は、光を出射可能な発光ダイオードなどの発光素子と、発光素子から出射された拡散赤外光を受光可能なフォトトランジスタなどの受光素子とにより構成された光透過型のフォトインタラプタである。これら発光素子と受光素子とが図５における紙面前後方向に配置されている。残量検知部３３における検出子４５が光センサ１１４に検出されているか否かによって、インクの残量が所定量未満になったかどうかが判定される。
【００５０】
なお、残量検知部３３には、検出子４５がなくてもよい。すなわち、光センサ１１４は、発光素子と受光素子とが水平方向に対向されている。そして、発光素子から出射された光は受光素子に受光される。そして、残量検知部３３内にインクがある状態では、発光素子から出射された光が遮断又は減衰され、残量検知部３３内にインクがない状態では、発光素子から出射された光が透過されるように構成されていてもよい。また、残量検知部３３内にインクがある状態では、発光素子から出射された光が受光素子に到達しないように反射され、残量検知部３３内にインクがない状態では、発光素子から出射された光が受光素子に到達するように反射されるように構成されていてもよい。
【００５１】
スライド部材１３５は、カートリッジ装着部１１０の奥部の下端側に形成された空間１３０に配置されている。空間１３０は、カートリッジ装着部１１０の内部空間と連続している。スライド部材１３５は、空間１３０において挿抜方向５０に沿ってスライド可能に支持されている。スライド部材１３５は、インクカートリッジ３０の突起４６の挿入経路に配置されており、突起４６と当接可能である。
【００５２】
空間１３０にはコイルバネ１３９が設けられている。コイルバネ１３９は、スライド部材１３５を開口１１２側、つまり、インクカートリッジ３０がカートリッジ装着部１１０から脱抜される向きへ、つまり開口１１２へ向かって、インクカートリッジ３０を弾性付勢するものである。コイルバネ１３９は、空間１３０において挿抜方向５０に沿って延出されており、その一端が空間１３０の奥端を画定している奥壁１３３と連結されている。コイルバネ１３９の他端はスライド部材１３５と連結されている。コイルバネ１３９が自然長である場合、つまり、スライド部材１３５に外力が加えられていない状態では、スライド部材１３５は、開口１１２側の所定の位置に配置される。インクカートリッジ３０がカートリッジ装着部１１０に挿入される過程で、インクカートリッジ３０の突起４６がスライド部材１３５に当接して、スライド部材１３５が空間１３０の奥壁１３３側へ押圧される。これにより、コイルバネ１３９が収縮されるとともに、スライド部材１３５が奥壁側の位置（図６参照）へスライドされる。スライド部材１３５及びコイルバネ１３９が、本発明における付勢部材に相当する。
【００５３】
カートリッジ装着部１１０には、ロック機構１４４が設けられている。ロック機構１４４は、インクカートリッジ３０が装着位置に配置された状態で、インクカートリッジ３０が開口１１２から飛び出す向き（図５における左向き）へ移動することを規制して、インクカートリッジ３０を装着位置に保持する。
【００５４】
ロック機構１４４は、大別すると、ロックレバー１４５と、ロックレバー１４５に付勢力を付与するコイルバネ１４８とにより構成されている。ロックレバー１４５は、図５に示されるロック姿勢から矢印１０１で示されるアンロック姿勢側へ回動可能に支持されている。ロックレバー１４５に外力が加えられていない状態では、ロックレバー１４５はコイルバネ１４８によって常にロック姿勢側へ付勢されている。ロックレバー１４５の一端に係合端部１４６が設けられている。ロック機構１４４は、係合端部１４６がインクカートリッジ３０の係合部４３と係合することにより、カートリッジ装着部１１０におけるインクカートリッジ３０のロックが実現される。ロックレバー１４５の他端側は操作部１４７である。ユーザが操作部１４７を押下することによって、ロック姿勢のロックレバー１４５がアンロック姿勢へ姿勢変化される。ロックレバー１４５が、本発明における保持部材に相当する。
【００５５】
カートリッジ装着部１１０の内部空間の奥部には、連結部１２１が設けられている。連結部１２１には、管状のインクニードル１２２が設けられている。インクニードル１２２は、挿抜方向５０に沿って延出された管形状の部材である。インクニードル１２２は、カートリッジ装着部１１０の背面側においてインクチューブ２０と接続されている。カートリッジ装着部１１０にインクカートリッジ３０が装着されると、インクニードル１２２がインク供給部３７に挿入されて、インク供給部３７と連結部１２１とが連結する。これにより、インク室３６からインクニードル１２２を通じてインクチューブ２０へインクが供給される。なお、図５，６においてはインクチューブ２０が省略されている。
【００５６】
カートリッジ装着部１１０の内部空間の底部を画定している底面１１３には、挿抜方向５０に沿って開口１１２から奥部へ延びる溝１１５が設けられている。溝１１５は、底面１１３から下方へ陥没する空間であり、挿抜方向５０に沿って延びる互いに対向する一対の側面１１７，１１８と、その側面１１７，１１８をつなぐ底面１１９とを有する。底面１１３，１１９はいずれも重力方向上向きである。この底面１１３が、本発明における第１面に相当する。なお、図５，６には、側面１１７が現れていない。
【００５７】
溝１１５の開口１１２側には、溝１１５の両側の底面１１３に一対のストッパ１２６，１２７がそれぞれ設けられている（ストッパ１２６は、図８参照）。ストッパ１２６，１２７は、底面１１３から重力方向上向きへ突出されている。
【００５８】
ストッパ１２６，１２７は配置が異なる他は同じ形状なので、ストッパ１２６を例に詳細な形状が説明される。ストッパ１２６は、開口１１２側に位置する、斜め上方を向く第１ガイド面１２８と、光センサ１１４や連結部１２１などが設けられたカートリッジ装着部１１０の奥部側に位置する、斜め上方を向く第２ガイド面１２９とが挿抜方向５０に連続して形成されており、側面視において三角形状をなしている（図８参照）。したがって、第１ガイド面１２８は、インクカートリッジ３０がカートリッジ装着部１１０へ挿入される過程において、凸部５４，５５，５６と当接してインクカートリッジ３０を重力方向上向きへ案内する。第２ガイド面１２９は、インクカートリッジ３０がカートリッジ装着部１１０から脱抜される過程において、凸部５４，５５，５６と当接してインクカートリッジ３０を重力方向上向きへ案内する。第１ガイド面１２８及び第２ガイド面１２９は、いずれも重力方向に対して傾斜する平面である。
【００５９】
［インクカートリッジ３０の挿抜動作］
インクカートリッジ３０は、前壁４０側から開口１１２を通じてカートリッジ装着部１１０へ挿入される。インクカートリッジ３０の挿入に際して、インクカートリッジ３０の被ガイド部４４がカートリッジ装着部１１０の溝１１５に挿入される。被ガイド部４４と溝１１５との接触によって、インクカートリッジ３０が挿抜方向５０へ案内される。
【００６０】
インクカートリッジ３０がカートリッジ装着部１１０へ挿入される過程において、インクカートリッジ３０の凸部５４，５５，５６及び凸部５４，５５，５６と各々対をなす３つの凸部がストッパ１２６，１２７とそれぞれ当接する。図８に示されるように、例えば、凸部５４においては、第１ガイド面５７がストッパ１２６と当接する。ストッパ１２６においては、第１ガイド面１２８が凸部５４と当接する。凸部５４とストッパ１２６との当接によって、インクカートリッジ３０は、重力方向上向きへ案内される。インクカートリッジ３０は、凸部５４がストッパ１２６を乗り越えると、重力によって再び重力方向下向きへ移動する。このような上下動が、凸部５４，５５，５６及び凸部５４，５５，５６と各々対をなす３つの凸部がストッパ１２６，１２７を乗り越える毎に繰り返される。
【００６１】
図６に示されるように、インクカートリッジ３０がカートリッジ装着部１１０に挿入されると、スライド部材１３５は、突起４６に押圧されて空間１３０の奥壁側へスライドされる。また、スライド部材１３５のスライドにともなって、コイルバネ１３９が自然長から収縮される。コイルバネ１３９が収縮することにより、スライド部材１３５はコイルバネ１３９から開口１１２側へ向かう付勢力を受ける。これにより、装着状態のインクカートリッジ３０が開口１１２から飛び出す向きへ弾性付勢される。
【００６２】
インクカートリッジ３０の挿入過程において、ロックレバー１４５の係合端部１４６がインクカートリッジ３０の上壁３９に乗り上げる。これにより、ロックレバー１４５が反時計回り（図５における矢印１０１の方向）へ回動して、ロック位置からアンロック位置へ移動する。インクカートリッジ３０が更に挿入されると、インクカートリッジ３０の係合部４３が、ロックレバー１４５の係合端部１４６よりカートリッジ装着部１１０の奥部側へ移動し、ロックレバー１４５の係合端部１４６が係合部４３と係合する位置へ回動される、すなわち、ロックレバー１４５が時計回りへ回動して、アンロック位置からロック位置へ移動する（図６参照）。コイルバネ１３９により弾性付勢されたインクカートリッジ３０は開口１１２から飛び出す向きへ移動しようとするが、ロックレバー１４５の係合端部１４６と係合部４３とが係合するので、インクカートリッジ３０が装着位置に保持される。これにより、カートリッジ装着部へのインクカートリッジ３０の装着が完了する。また、装着位置において、連結部１２１のインクニードル１２２が、インクカートリッジ３０のインク流路３８に挿入されて、インク室３６からインクが外部へ供給可能となる。
【００６３】
インクカートリッジ３０がカートリッジ装着部１１０から脱抜される際には、ユーザがロックレバー１４５における操作部１４７を押し下げる。これにより、ロックレバー１４５が反時計方向へ回動して、ロック姿勢からアンロック姿勢へ姿勢変化する。ロックレバー１４５がアンロック姿勢になると、係合端部１４６がインクカートリッジ３０の係合部４３よりも上方に配置される。これにより、係合端部１４６が係合部４３から離れる。したがって、コイルバネ１３９からの弾性付勢力を受けて、インクカートリッジ３０は、開口１１２へ向かって移動する。これにより、連結部１２１のインクニードル１２２が、インクカートリッジ３０のインク流路３８から抜ける。
【００６４】
コイルバネ１３９が自然長に復元した後、図９に示されるように、インクカートリッジ３０の凸部５４がストッパ１２６と当接する。なお、同図には現れていないが、挿抜方向５０に対して凸部５４と対となる凸部はストッパ１２７と当接する。凸部５４においては、第２ガイド面５８がストッパ１２６と当接する。ストッパ１２６においては、第２ガイド面１２９が凸部５４と当接する。
【００６５】
凸部５４とストッパ１２６との当接によって、インクカートリッジ３０は、重力方向上向きへ案内される。インクカートリッジ３０が開口１１２側へ移動する速度が速ければ、インクカートリッジ３０は、凸部５４がストッパ１２６を乗り越えても更に移動するが、凸部５４がストッパ１２６を乗り越えることによって、移動する速度は減衰される。
【００６６】
凸部５４がストッパ１２６を乗り越えると、インクカートリッジ３０は重力によって再び下向きへ移動し、続いて凸部５５がストッパ１２６と当接する。凸部５４とストッパ１２６との当接と同様に、凸部５５とストッパ１２６との当接によって、インクカートリッジ３０は、重力方向上向きへ案内される。インクカートリッジ３０が開口１１２側へ移動する速度が速ければ、インクカートリッジ３０は、凸部５５がストッパ１２６を乗り越えても更に移動するが、凸部５５がストッパ１２６を乗り越えることによって、移動する速度は更に減衰される。
【００６７】
凸部５５がストッパ１２６を乗り越えると、インクカートリッジ３０は重力によって再び下向きへ移動し、続いて凸部５６がストッパ１２６と当接する。凸部５４とストッパ１２６との当接と同様に、凸部５６とストッパ１２６との当接によって、インクカートリッジ３０は、重力方向上向きへ案内される。インクカートリッジ３０が開口１１２側へ移動する速度が速ければ、インクカートリッジ３０は、凸部５６がストッパ１２６を乗り越えても更に移動するが、凸部５６がストッパ１２６を乗り越えることによって、移動する速度は更に減衰される。
【００６８】
凸部５４，５５，５６及び凸部５４，５５，５６と各々対をなす３つの凸部とストッパ１２６，１２７との当接によって、開口１１２から飛び出す向きへ弾性付勢されて移動するインクカートリッジ３０の移動速度が徐々に減衰されて、インクカートリッジ３０が停止する。インクカートリッジ３０が停止した後、ユーザによって、インクカートリッジ３０がカートリッジ装着部１１０から引き出される。なお、インクカートリッジ３０が停止する位置は、一対の凸部５４，５５，５６のいずれかとストッパ１２６，１２７とが当接する位置に限定されない。
【００６９】
［本実施形態の作用効果］
本実施形態によれば、インクカートリッジ３０が付勢されて開口１１２側へ移動するときに、溝１１５に沿って移動するインクカートリッジ３０の凸部５４，５５，５６及び凸部５４，５５，５６と各々対をなす３つの凸部とストッパ１２６，１２７とが繰り返し当接するので、インクカートリッジ３０は、移動速度が減速されるか停止される。これにより、簡易且つ低コストな構造によって、インクカートリッジ３０がカートリッジ装着部１１０から飛び出すことが防止される。
【００７０】
また、凸部５４，５５，５６及び凸部５４，５５，５６と各々対をなす３つの凸部において、第１ガイド面５７が重力方向に対して鋭角をなす第１角度Ｒ１は、第２ガイド面５８が重力方向に対して鋭角をなす第２角度Ｒ２より大きいので、インクカートリッジ３０がカートリッジ装着部１１０へ挿入されるときには、緩斜面である第１ガイド面５７によってインクカートリッジ３０が重力方向上向きへ案内され、ユーザは、インクカートリッジ３０が重力方向上向きへ押し上げられる際の抵抗を比較的緩やかに感じ、挿入操作に違和感が少ない。一方、インクカートリッジ３０が付勢されて開口１１２側へ移動するときには、急斜面である第２ガイド面５８によってインクカートリッジ３０が重力方向上向きへ案内されるので、インクカートリッジ３０が移動する速度が比較的大きく減衰される。
【００７１】
また、ストッパ１２６，１２７は、溝１１５に対して挿抜方向５０と直交する水平方向の両側に一対が設けられており、凸部５４，５５，５６及び凸部５４，５５，５６と各々対をなす３つの凸部は、被ガイド部４４に対して挿抜方向５０と直交する水平方向の両側にそれぞれ一対が設けられているので、インクカートリッジ３０の左右両側において、ほぼ同時に凸部５４，５５，５６及び凸部５４，５５，５６と各々対をなす３つの凸部とストッパ１２６，１２７とが当接して、インクカートリッジ３０が移動する速度が一層大きく減衰される。また、凸部５４，５５，５６及び凸部５４，５５，５６と各々対をなす３つの凸部のいずれかとストッパ１２６，１２７とが当接した位置にインクカートリッジ３０が停止しても、インクカートリッジ３０の姿勢が重力方向に対して左右側へ傾かないので取り出しやすい。
【００７２】
また、ロックレバー１４５は、凸部５４，５５，５６及び凸部５４，５５，５６と各々対をなす３つの凸部が配置された側と反対側の重力方向上側において、インクカートリッジ３０の係合部４３と係合するので、凸部５４，５５，５６及び凸部５４，５５，５６と各々対をなす３つの凸部と干渉することなく、係合部４３を配置することができ、インクカートリッジ３０の各構造をレイアウトする自由度が高い。
【００７３】
［変形例］
前述された実施形態では、インクカートリッジ３０において各凸部５４，５５，５６が、下壁４１から重力方向下向きへそれぞれ突出され、カートリッジ装着部１１０においてストッパ１２６，１２７が底面１１３から重力方向上向きへそれぞれ突出されたものとしたが、各凸部５４，５５，５６及びストッパ１２６，１２７の配置や突出方向は変更されてもよい。
【００７４】
図１０に示されるように、被ガイド部４４の面６１には、面６１から挿抜方向５０と直交する水平方向（幅方向５１）の外側へそれぞれ突出された３つの凸部６４，６５，６６が設けられている。３つの凸部６４，６５，６６は、配置が異なる他は同じ形状であり、挿抜方向５０に沿って所定の間隔で配置されている。各凸部６４，６５，６６は、カートリッジ装着部１１０に装着されたインクカートリッジ３０が脱抜れるときに、後述されるストッパ１３１，１３２と当接し得る。面６１，６２が、本発明における第２面に相当する。
【００７５】
なお、各図には現れていないが、被ガイド部４４の面６２にも、前述された凸部６４，６５，６６と同様の３つの凸部が設けられている。この３つの凸部は、被ガイド部４４に対して挿抜方向５０と直交する水平方向（幅方向５１）の両側において各凸部６４，６５，６６と対をなしている。
【００７６】
各凸部６４，６５，６６は、配置が異なる他は同じ形状なので、凸部６４を例に詳細な形状が説明される。凸部６４は、挿抜方向５０に対して前壁４０側に位置しており、斜め下方を向く第１ガイド面６７と、後壁４２側に位置しており、斜め下方を向く第２ガイド面６８とが挿抜方向５０に連続して形成されており、側面視において逆三角形状をなしている。したがって、第１ガイド面６７は、インクカートリッジ３０がカートリッジ装着部１１０へ挿入される過程において、後述されるストッパ１３１，１３２と当接してインクカートリッジ３０を重力方向上向きへ案内する。第２ガイド面６８は、インクカートリッジ３０がカートリッジ装着部１１０から脱抜される過程において、後述されるストッパ１３１，１３２と当接してインクカートリッジ３０を重力方向上向きへ案内する。
【００７７】
第１ガイド面６７及び第２ガイド面６８は、いずれも重力方向に対して傾斜する平面であるが、重力方向に対して傾斜する角度が異なる。第１ガイド面６７が重力方向に対して鋭角をなす第１角度Ｒ３は、第２ガイド面６８が重力方向に対して鋭角をなす第２角度Ｒ４より大きい。つまり、第１ガイド面６７は緩斜面であり、第２ガイド面６８は急斜面である。
【００７８】
また、凸部６４，６５，６６及び凸部６４，６５，６６と各々対をなす３つの凸部のそれぞれは、挿抜方向５０と直交する水平方向（幅方向５１）の先端が、つまり突出する先端が、本体３１の右側面４７又は左側面４８より内側に位置する。また、凸部６４，６５，６６及び凸部６４，６５，６６と各々対をなす３つの凸部において左右一対それぞれの先端の間の距離は、溝１１５における側面１１７，１１８間の距離より短い。したがって、凸部６４，６５，６６及び凸部６４，６５，６６と各々対をなす３つの凸部それぞれは、溝１１５内に進入して、挿抜方向５０へ円滑に移動可能である。
【００７９】
図１１に示されるように、カートリッジ装着部１１０の溝１１５には、互いに対向する一対の側面１１７，１１８に一対のストッパ１３１，１３２がそれぞれ設けられている。ストッパ１３１，１３２は、側面１１７，１１８から挿抜方向５０と直交する水平方向（幅方向５１）へそれぞれ突出されている。ストッパ１３１，１３２において、重力方向上側の面が挿抜方向５０に沿って連続して傾斜する山形状をなしている。側面１１７，１１８が、本発明における第１面に相当する。
【００８０】
ストッパ１３１，１３２において水平方向（幅方向５１）に突出する先端の間の距離は、前述された凸部６４，６５，６６及び凸部６４，６５，６６と各々対をなす３つの凸部において左右一対それぞれの先端の間の距離より短い。したがって、溝１１５内に進入して挿抜方向５０へ移動する凸部６４，６５，６６及び凸部６４，６５，６６と各々対をなす３つの凸部のそれぞれは、必ずストッパ１３１，１３２と当接する。
【００８１】
このような凸部６４，６５，６６及び凸部６４，６５，６６と各々対をなす３つの凸部とストッパ１３１，１３２とが、インクカートリッジ３０がカートリッジ装着部１１０へ挿抜される過程において当接する。例えば、図１２に示されるように、インクカートリッジ３０がカートリッジ装着部１１０から脱抜される過程において、凸部６４がストッパ１３１と当接する。そして、各凸部６４，６５，６６がストッパ１３１を乗り越える毎にインクカートリッジ３０が移動する速度は減衰される。
【００８２】
このような凸部６４，６５，６６及び凸部６４，６５，６６と各々対をなす３つの凸部、並びにストッパ１３１，１３２によっても、前述された実施形態と同様の作用効果が奏される。
【００８３】
また、本変形例では、凸部６４，６５，６６及び凸部６４，６５，６６と各々対をなす３つの凸部の突出先端が、幅方向５１において本体３１の右側面４７又は左側面４８より内側に位置しているので、インクカートリッジ３０が床などに落下したときや、インクカートリッジ３０がフィルム状の袋に包まれて減圧包装されたときなどにおいて、凸部６４，６５，６６が破損したり変形したりするおそれが軽減される。
【００８４】
なお、前述された実施形態及び変形例においては、各凸部とストッパとの当接面が、重力方向に対して傾斜した傾斜面とされているが、必ずしも各凸部とストッパとの双方において傾斜面が設けられる必要はない。例えば、第１ガイド面５７及び第２ガイド面５８のような傾斜面が凸部又はストッパの一方に設けられていれば、他方は、第１ガイド面５７及び第２ガイド面５８によってインクカートリッジ３０が重力方向上向きへ案内され得る様々な形状が任意に採用される。また、第１ガイド面５７及び第２ガイド面５８も、必ずしも平面である必要はなく、曲面や球面を含んで構成されていてもよい。
【００８５】
また、前述された実施形態及び変形例においては、１つのインクカートリッジ３０について、挿抜方向５０に３つの凸部５４，５５，５６又は凸部６４，６５，６６が並んで配置されているが、本発明において挿抜方向５０に並んで配置される凸部の数は３つに限定されず、２つ以上の複数であればよい。また、凸部５４，５５，５６又は凸部６４，６５，６６は、本体３１において前壁４０に近い側に配置されているが、例えば、後壁４２に近い側に配置するなど、各凸部の配置は適宜変更されてもよい。
【００８６】
また、前述された実施形態及び変形例においては、被ガイド部４４の両面６１，６２に、３つの凸部５４，５５，５６及び凸部５４，５５，５６と各々対をなす３つの凸部、又は凸部６４，６５，６６及び凸部６４，６５，６６と各々対をなす３つの凸部、がそれぞれ配置されているが、被ガイド部４４の片面６１だけに、凸部５４，５５，５６又は凸部６４，６５，６６が配置されていてもよい。その場合、カートリッジ装着部１１０には、ストッパ１２６又は１３１のみが配置されていればよい。
【００８７】
また、前述された実施形態及び変形例においては、１つのインクカートリッジ３０について、挿抜方向５０に３対の凸部が並んで配置されているが、凸部の数は一つ、若しくは左右一対であってもよい。その場合には、カートリッジ装着部１１０には、ストッパ１２６又は１３１と同様のストッパ、若しくはストッパ対１２６，１２７又は１３１，１３２と同様のストッパ対が挿抜方向５０に複数並んで配置されていればよい。このような構成であっても、凸部ストッパを複数回乗り越えることにより、インクカートリッジ３０の移動速度が減衰される。
【符号の説明】
【００８８】
１０・・・プリンタ（画像記録装置）
２１・・・記録ヘッド（記録部）
３０・・・インクカートリッジ（液体容器）
３１・・・本体
３６・・・インク室（貯留室）
４１・・・下壁（第２面、底面）
４４・・・被ガイド部
４７・・・右側面
４８・・・左側面
５４，５５，５６，６４，６５，６６・・・凸部
５７，６７・・・第１ガイド面
５８，６８・・・第２ガイド面
６１，６２・・・面（第２面）
１００・・・インク供給装置（液体供給装置）
１１０・・・カートリッジ装着部（装着部）
１１２・・・開口
１１３・・・底面（第１面）
１１５・・・溝
１１７，１１８・・・側面（第１面）
１２８・・・第１ガイド面
１２９・・・第２ガイド面
１３５・・・スライド部材（付勢部材）
１３９・・・コイルバネ（付勢部材）
１４５・・・ロックレバー（保持部材）
【図１】
2011152645.tif 000003
【図２】
2011152645.tif 000004
【図３】
2011152645.tif 000005
【図４】
2011152645.tif 000006
【図５】
2011152645.tif 000007
【図６】
2011152645.tif 000008
【図７】
2011152645.tif 000009
【図８】
2011152645.tif 000010
【図９】
2011152645.tif 000011
【図１０】
2011152645.tif 000012
【図１１】
2011152645.tif 000013
【図１２】
2011152645.tif 000014